(57)【要約】【課題】複数層の記録層を有する書換型光記録媒体において、繰り返し記録可能回数が少なくならないようにし、安定した記録再生が行なえるようにした書換型光記録媒体への情報記録方法、装置及び書換型光記録媒体を提供する。【解決手段】書換型の光記録媒体１０における最後に記録する層であるＬ１層の、ユーザ情報記録エリア２６の内側にユーザ情報のための管理情報を記録する管理情報記録可能エリア２８を設け、管理情報を、記録時の熱が溜まり易いＬ０層１８ではなく、Ｌ１層１４の管理情報記録可能エリア２８に記録する。【選択図】図２
2007128617.tif 000002
【特許請求の範囲】
【請求項１】
ｎ＝２以上のｎ層の記録層を有する書換型光記録媒体への情報記録方法であって、
記録用レーザー光の入射面側から１番目〜ｎ番目の記録層に記録するとき、該書換型光記録媒体に記録してあるユーザ情報のための管理情報を、前記ｎ番目の記録層に記録することを特徴とする書換型光記録媒体への情報記録方法。
【請求項２】
請求項１において、
前記ｎ番目の記録層は、ユーザ情報記録エリア及び非ユーザ情報記録エリアを有し、前記管理情報を、前記非ユーザ情報記録エリアに記録することを特徴とする書換型記録媒体への情報記録方法。
【請求項３】
請求項１において、
前記ｎ番目の記録層は、ユーザ情報記録エリアの内側及び外側の少なくとも一方に非ユーザ情報記録エリアを有し、前記管理情報を、前記非ユーザ情報記録エリアに記録することを特徴とする書換型記録媒体への情報記録方法。
【請求項４】
ｎ＝２以上のｎ層の記録層を有する書換型光記録媒体であって、
記録用レーザー光の入射面側から１番目〜ｎ番目の記録層に記録するときのｎ番目の記録層に、ユーザ情報記録エリアの他に、各記録層に記録されているユーザ情報のための管理情報を記録する管理情報記録可能エリアを設けたことを特徴とする書換型光記録媒体。
【請求項５】
請求項４において、
前記ユーザ情報記録エリアは円環形状であり、前記管理情報記録可能エリアは、前記ユーザ情報記録エリアの内側及び外側の少なくとも一方に配置されていることを特徴とする書換型光記録媒体。
【請求項６】
請求項４又は５において、
前記１番目〜ｎ番目の記録層の光入射側に厚さ約０．６ｍｍの透明樹脂基板が設けられていて、前記記録用レーザー光が、前記透明樹脂基板を通って前記１番目〜ｎ番目の記録層に照射されるようにしたことを特徴とする書換型光記録媒体。
【請求項７】
請求項４乃至６のいずれかにおいて、
前記各記録層は、相変化型記録材料を有してなることを特徴とする書換型光記録媒体。
【請求項８】
ｎ＝２以上のｎ層の記録層を有する書換型光記録媒体に情報を記録する光記録装置であって、
記録用レーザー光の入射面側から１番目〜ｎ番目の記録層に順に記録すると共に、前記１番目〜ｎ番目の記録層に記録したユーザ情報のための管理情報を、前記ｎ番目の記録層に記録する光記録装置。
【発明の詳細な説明】
【技術分野】
【０００１】
本発明は、複数の記録層を有する書換型光記録媒体、この書換型光記録媒体への情報記録方法及び情報記録装置に関する。
【背景技術】
【０００２】
従来の記録層が１層の光記録媒体において、この光記録媒体が記録装置に挿入されたときから排出されるまでの間にユーザが記録した情報以外で、該光記録媒体に記録される管理のための情報である管理情報は、記録層の内側に記録されるようになっている。
【０００３】
又、例えば、特許文献１においては、２層の記録層を有する光記録媒体において、第１の記録層に情報を記録中に、これが完了した場合は、この第１の記録層に管理情報を記録するものが開示されている。
【０００４】
このような、２層光記録媒体が、書換型であって、且つ記録層が相変化型の場合、記録用レーザー光の入射面側の記録層には、記録時の熱が溜まり易く、他の記録層と比較して、繰り返し記録可能回数が少なくなってしまい記録再生が困難になるという問題点がある。
【０００５】
【特許文献１】特開２００４−３４２１８１号公報
【発明の開示】
【発明が解決しようとする課題】
【０００６】
この発明は、複数層の記録層を有する書換型光記録媒体において、繰り返し記録可能回数が少なくならないようにし、安定した記録再生が行なえるようにした書換型光記録媒体への情報記録方法、装置及び書換型光記録媒体を提供することを課題とする。
【課題を解決するための手段】
【０００７】
本発明者は、鋭意研究の結果、ｎ＝２以上のｎ層の記録層を有する書換型光記録媒体への情報記録の際に、記録用レーザー光により最後に記録するｎ番目の記録層に管理情報を記録することによって、繰り返し記録回数を多くできることを見出した。
【０００８】
即ち、以下の各実施例により上記課題を解決することができる。
【０００９】
（１）ｎ＝２以上のｎ層の記録層を有する書換型光記録媒体への情報記録方法であって、記録用レーザー光の入射面側から１番目〜ｎ番目の記録層に記録するとき、該書換型光記録媒体に記録してあるユーザ情報のための管理情報を、前記ｎ番目の記録層に記録することを特徴とする書換型光記録媒体への情報記録方法。
【００１０】
（２）前記ｎ番目の記録層は、ユーザ情報記録エリア及び非ユーザ情報記録エリアを有し、前記管理情報を、前記非ユーザ情報記録エリアに記録することを特徴とする（１）に記載の書換型記録媒体への情報記録方法。
【００１１】
（３）前記ｎ番目の記録層は、ユーザ情報記録エリアの内側及び外側の少なくとも一方に非ユーザ情報記録エリアを有し、前記管理情報を、前記非ユーザ情報記録エリアに記録することを特徴とする（１）に記載の書換型記録媒体への情報記録方法。
【００１２】
（４）ｎ＝２以上のｎ層の記録層を有する書換型光記録媒体であって、記録用レーザー光の入射面側から１番目〜ｎ番目の記録層に記録するときのｎ番目の記録層に、ユーザ情報記録エリアの他に、各記録層に記録されているユーザ情報のための管理情報を記録する管理情報記録可能エリアを設けたことを特徴とする書換型光記録媒体。
【００１３】
（５）前記ユーザ情報記録エリアは円環形状であり、前記管理情報記録可能エリアは、前記ユーザ情報記録エリアの内側及び外側の少なくとも一方に配置されていることを特徴とする（４）に記載の書換型光記録媒体。
【００１４】
（６）前記１番目〜ｎ番目の記録層の光入射側に厚さ約０．６ｍｍの透明樹脂基板が設けられていて、前記記録用レーザー光が、前記透明樹脂基板を通って前記１番目〜ｎ番目の記録層に照射されるようにしたことを特徴とする（４）又は（５）に記載の書換型光記録媒体。
【００１５】
（７）前記各記録層は、相変化型記録材料を有してなることを特徴とする（４）乃至（６）のいずれかに記載の書換型光記録媒体。
【００１６】
（８）ｎ＝２以上のｎ層の記録層を有する書換型光記録媒体に情報を記録する光記録装置であって、記録用レーザー光の入射面側から１番目〜ｎ番目の記録層に順に記録すると共に、前記１番目〜ｎ番目の記録層に記録したユーザ情報のための管理情報を、前記ｎ番目の記録層に記録する光記録装置。
【発明の効果】
【００１７】
この発明においては、書換型光記録媒体に記録してあるユーザ情報のための管理情報を書換時に熱が溜まり難い記録層に記録するようにして繰り返し記録可能回数を向上させることができるという効果を有する。
【発明を実施するための最良の形態】
【００１８】
最良の形態の、光記録媒体への情報記録方法は、ｎ＝２以上のｎ層の記録層を有する書換型光記録媒体への情報記録方法であって、記録容量に応じて、記録用レーザー光の入射面側から１番目〜ｎ番目の記録層まで順に記録するとき、該書換型光記録媒体に記録してあるユーザ情報のための管理情報を、前記ｎ番目の記録層に記録することによって、繰り返し記録回数が少なくならないようにする。
【実施例１】
【００１９】
以下本発明の実施例１について図１及び図２を参照して詳細に説明する。
【００２０】
この実施例１に係る光記録媒体１０は、書換型であり、基板１２に、Ｌ１層１４、接着剤層１６、Ｌ０層１８及び基板２０をこの順で配置して構成されている。一般的には、基板１２にＬ１層１４を積層したものと、基板２０にＬ０層１８を積層したものとを、接着剤層１６により貼り合せて構成することが多い。
【００２１】
又、記録用レーザー光２２は、基板２０から基板１２に向かう方向に入射し、波長λは６５８ｎｍ、レンズの開口数ＮＡは０．６５である。
【００２２】
前記Ｌ０層１８は、図１において示されるように、前記基板２０側から、第１保護膜１８Ａ、相変化記録膜１８Ｂ、第２保護膜１８Ｃ、金属放熱膜１８Ｄ及び第３保護膜１８Ｅをこの順で積層して構成されている。
【００２３】
前記金属放熱膜１８Ｄは、放熱と光干渉効果のために設けられ、材料として好ましくはＡｇ合金が用いられ、その膜厚ｔは、半透過構造とするために０＜ｔ＜３０ｎｍとされ、これにより、Ｌ０層１８全体の、記録波長における光透過率が３０％以上８０％以下となるようにされている。又、膜厚ｔは、より好ましくは０＜ｔ＜２０ｎｍとする。
【００２４】
ここで、前記Ｌ０層１８の光透過率が３０％未満であるとＬ１層１４への記録が困難となり、８０％を超えるとＬ０層１８への記録が困難となる。又、膜厚ｔは、３０ｎｍを超えると光透過率が小さくなり過ぎてしまう。
【００２５】
前記第１保護膜１８Ａ、第２保護膜１８Ｃ及び第３保護膜１８Ｅは、各々が各種誘電体から構成されている。
【００２６】
前記相変化記録膜１８Ｂは、アモルファスと結晶の相変化が可能な材料、例えばＳｂＧｅ等から構成され、その膜厚は半透過構造とするために１０ｎｍ以下が好ましい。
【００２７】
前記Ｌ１層１４は、図１に示されるように、前記接着剤層１６側から、第４保護膜１４Ａ、相変化記録膜１４Ｂ、第５保護膜１４Ｃ、反射放熱膜１４Ｄをこの順で配置して構成されている。
【００２８】
前記反射放熱層１４Ｄは、金属放熱膜１８Ｄと同様の材料、好ましくはＡｇ合金が用いられ、その膜厚ｔは、全反射構造とするためにｔ≧８０ｎｍが好ましい。
【００２９】
前記第４保護膜１４Ａ、第５保護膜１４Ｃは、Ｌ０層１８によると同様に、各々が各種誘電体から構成され、前記相変化記録膜１４Ｂは、相変化記録膜１８Ｃと同様の材料から構成されるが、その膜厚は半透過構造とする必要がないために１０ｎｍ以上が好ましい。
【００３０】
この書換型の光記録媒体１０は、図２に示されるように、記録容量に応じて、記録用レーザー光の入射面側からＬ０層１８、Ｌ１層１４の順に記録するものであって、前記Ｌ０層１８のユーザ情報記録エリア２４の内周側から記録が開始され、このユーザ情報記録エリア２４が一杯になると、前記Ｌ１層１４のユーザ情報記録エリア２６の外周側から記録が継続されるように構成されている。又、前記Ｌ１層１４には、前記ユーザ情報記録エリア２６の内側に、各記録層（Ｌ０層１８、Ｌ１層１４）に記録されているユーザ情報のための管理情報を記録する管理情報記録可能エリア２４が設けられている。
【００３１】
上記のような構成の光記録媒体１０に対して、図３に示されるような情報記録／再生装置３０により、情報の記録及び再生を行なう。
【００３２】
前記情報記録／再生装置３０は、前記光記録媒体１０を回転させるためのスピンドルモータ３２、レーザービームを前記光記録媒体１０に照射するためのヘッド３４、このヘッド３４及び前記スピンドルモータ３２を制御するためのコントローラ３６、前記ヘッド３４からのレーザービームを、パルス列に変調制御するためのレーザー駆動信号を供給するレーザー駆動回路３８と、前記ヘッド３４にレンズ駆動信号を供給するレンズ駆動回路４０と、を備えて構成されている。
【００３３】
前記コントローラ３６は、フォーカスサーボ追従回路３６Ａ、トラッキングサーボ追従回路３６Ｂ及び管理情報記録回路３６Ｃが含まれている。
【００３４】
前記管理情報記録回路３６Ｃは、レーザー駆動回路３８により供給されるレーザー駆動信号を生成する回路であり、ユーザ情報の記録が終了すると、前記Ｌ１層のユーザ情報記録エリアの内側の非ユーザ情報記録エリアに管理情報を記録するようにレーザー駆動信号を生成する。
【００３５】
上記のような構成の情報記録／再生装置３０により、光記録媒体１０に対して、情報の記録及び再生を行なうが、ユーザ情報のための管理情報を、前記Ｌ０層１８のユーザ情報記録エリア２４の内側の非ユーザ情報記録エリアに記録すると、前記Ｌ０層１８は記録用レーザー光の入射面側の記録層であるので、記録時の熱が溜まり易く、前記Ｌ１層１４と比較して、繰り返し記録可能回数が少なくなってしまうが、この実施例では、前記Ｌ１層１４に設けた前記管理情報記録可能エリア２８に管理情報を記録するようにされている。
【００３６】
ユーザ情報のための管理情報を前記Ｌ０層１８に記録した場合と、前記Ｌ１層１４に記録した場合の、記録回数に応じた信号品質（ジッタ）を表１に示す。ここで、ジッタとは記録信号の時間的揺らぎを示すパラメータであり、値としては、小さいほど良い。尚、ジッタは、タイムインターバルアナライザによって、再生信号の揺らぎσを求め、σ／Ｔｗ（Ｔｗ：クロックの１周期）によって算出した。
【００３７】
【表１】
2007128617.tif 000003
【００３８】
表１に示されるように、管理情報を前記Ｌ０層１８に記録した場合は、記録回数が５００回の時にジッタは１３．３％であるのに対し、前記Ｌ１層１４に記録した場合は、記録回数が５００回の時にジッタは８．８％である。更に、前記Ｌ１層１４に記録した場合は、記録回数が２０００回の時にジッタは１１．１％であり、これは前記Ｌ０層１８に２００回記録した時のジッタである１１．８％よりも低い値である。従って、本発明による情報記録方法、装置及び書換型光記録媒体を用いることによって、複数層の記録層を有する書換型光記録媒体において、繰り返し記録可能回数が少なくならないようにすることができる。上記表１の結果を図４に示す。
【００３９】
又、本発明は、２層の記録層を有する光記録媒体に限らず、図５に示すように、ｎ＝２以上のｎ層の記録層を有する光記録媒体１０、１０−２、・・・、１０−（ｎ−１）においても実施することができる。この場合、１番目の記録層Ｌ０からｎ番目の記録層Ｌｎ−１まで順に記録するとしたとき、最後に記録するｎ番目の記録層Ｌｎ−１に管理情報記録可能エリア２８、２８−２、・・・２８−（ｎ−１）を設定する。
【００４０】
又、本発明は、ユーザ情報記録エリアの内側に管理情報記録可能エリアを設定する場合に限らず、図６に示すようにユーザ情報記録エリアの外側に管理情報記録可能エリア２９を設定する場合、及び図７に示すようにユーザ情報記録エリアの内側と外側の両方に管理情報記録可能エリア２８、２９を設定する場合においても実施することができる。
【００４１】
なお、前記管理情報記録可能エリアは、非ユーザ情報記録エリアの一部又は全部であればよい。
【図面の簡単な説明】
【００４２】
【図１】本発明の情報記録方法により情報を記録する光記録媒体を模式的に示す断面図
【図２】本発明の情報記録方法の一例を示す２層の記録層を有する光記録媒体の断面図
【図３】同光記録媒体への情報記録方法を実施するための光記録／再生装置を示すブロック図
【図４】同光記録媒体へ管理情報を記録する場合の、記録回数とジッタの相関関係を示す線図
【図５】本発明の他の実施例に係るｎ＝２以上のｎ層の記録層を有する光記録媒体を模式的に示す断面図
【図６】更に他の実施例に係る光記録媒体を模式的に示す断面図
【図７】更に又他の実施例に係る光記録媒体を模式的に示す断面図
【符号の説明】
【００４３】
１０、１０−２、・・・、１０−（ｎ−１）…光記録媒体
１２、２０…基板
１４…Ｌ１層
１４Ｂ、１８Ｂ…相変化記録膜
１６…接着剤層
１８…Ｌ０層
２６…ユーザ情報記録エリア
２８、２８−２、・・・、２８−（ｎ−１）、２９…管理情報記録可能エリア
３０…情報記録／再生装置
３６…コントローラ
３８…レーザー駆動回路
Ｌｎ−１…記録層
【図１】
2007128617.tif 000004
【図２】
2007128617.tif 000005
【図３】
2007128617.tif 000006
【図４】
2007128617.tif 000007
【図５】
2007128617.tif 000008
【図６】
2007128617.tif 000009
【図７】
2007128617.tif 000010